(57)【特許請求の範囲】
【請求項１】
外箱開口部を有する外箱と、
上記外箱内に配置されて、上記外箱開口部に対向する水槽開口部を有する水槽と、
上記水槽内に回転可能に配置されて、上記水槽開口部に対向する回転槽開口部を有する回転槽と、
上記回転槽内に水を供給する給水ノズルと
を備え、
上記給水ノズルは、
水が流れる流路が設けられたノズル本体と、
上記流路に配置され、旋回流を発生させる旋回子と、
上記ノズル本体側からの水が通過する噴射口が設けられたキャップと
を有し、
上記流路は、
上記旋回子よりも上流側に設けられた絞り部と、
上記絞り部よりも下流側、かつ、上記旋回子よりも上流側に設けられて、上記絞り部の流路断面積よりも大きな流路断面積を有する広がり部と
を持ち、
上記キャップは、上記ノズル本体の下流側の端部に外嵌すると共に、弾性材から成り、
上記給水ノズルは、上記水槽の上記水槽開口部の内縁から径方向内側に張り出したパッキンカバーに上記キャップの外周面の一部が当接するように、上記水槽の上記水槽開口部の内側に取り付けられていることを特徴とする洗濯機。
【請求項２】
請求項１に記載の洗濯機において、
上記キャップの一部が上記旋回子の下流側の端面における周縁部に対向することを特徴とする洗濯機。
【請求項３】
請求項１または２に記載の洗濯機において、
上記ノズル本体の下流側の端部が上記ノズル本体の他の部分に対して傾斜するように、上記ノズル本体が形成されており、
上記旋回子は上記ノズル本体の下流側の端部内に回転可能に収容されていることを特徴とする洗濯機。
【請求項４】
請求項１から３までのいずれか一項に記載の洗濯機において、
上記ノズル本体は、
第１ノズル管と、
上記第１ノズル管に組み付けられた第２ノズル管と
を有し、
上記第１ノズル管の一端部内に上記第２ノズル管の一端部を遊嵌させていることを特徴とする洗濯機。
【請求項５】
請求項１から４までのいずれか一項に記載の洗濯機において、
上記ノズル本体の上流側の端部は、上記流路への水の流入口を画定するための切り欠きが設けられた筒部を有していることを特徴とする洗濯機。
【請求項６】
請求項１から５までのいずれか一項に記載の洗濯機において、
上記外箱に取り付けられて上記外箱開口部を開閉するドアを備え、
上記ドアは、上記外箱開口部を閉鎖すると、一部が上記回転槽内に入って上記給水ノズルの水の噴射領域と重なることを特徴とする洗濯機。
【発明の詳細な説明】
【技術分野】
【０００１】
この発明は洗濯機に関する。
【背景技術】
【０００２】
従来、洗濯機としては、特表２０１３−５０９２８１号公報(特許文献１)に開示されているように、ドラム内に洗濯水を供給する給水ノズルを備えた洗濯機がある。より詳しくは、上記給水ノズルは、洗濯水を噴射し、この洗濯水で渦流を生成する。これにより、上記洗濯水が細分化されて、洗濯水が洗濯物に早く吸収される。
【先行技術文献】
【特許文献】
【０００３】
【特許文献１】特表２０１３−５０９２８１号公報
【発明の概要】
【発明が解決しようとする課題】
【０００４】
ところが、上記従来の洗濯機では、給水ノズルから噴射される洗濯水を洗濯物に強く当てようとすると、その洗濯水が広がらなくなってしまう。一方、上記給水ノズルから噴射される洗濯水を広げようとすると、洗濯物に上記洗濯水を強く当てることができなくなってしまう。
【０００５】
したがって、上記従来の洗濯機には、給水ノズルが噴射した洗濯水を洗濯物に強く当てると共に、その洗濯水を広げることができないという問題がある。
【０００６】
そこで、この発明の課題は、給水ノズルが噴射した水を洗濯物に強く当てることができ、かつ、その水を広げることができる洗濯機を提供することにある。
【課題を解決するための手段】
【０００７】
上記課題を解決するため、この発明の洗濯機は、
外箱開口部を有する外箱と、
上記外箱内に配置されて、上記外箱開口部に対向する水槽開口部を有する水槽と、
上記水槽内に回転可能に配置されて、上記水槽開口部に対向する回転槽開口部を有する回転槽と、
上記回転槽内に水を供給する給水ノズルと
を備え、
上記給水ノズルは、
水が流れる流路が設けられたノズル本体と、
上記流路に配置され、旋回流を発生させる旋回子と、
上記ノズル本体側からの水が通過する噴射口が設けられたキャップと
を有し、
上記流路は、
上記旋回子よりも上流側に設けられた絞り部と、
上記絞り部よりも下流側、かつ、上記旋回子よりも上流側に設けられて、上記絞り部の流路断面積よりも大きな流路断面積を有する広がり部と
を持ち、
上記キャップは、上記ノズル本体の下流側の端部に外嵌すると共に、弾性材から成り、
上記給水ノズルは、上記水槽の上記水槽開口部の内縁から径方向内側に張り出したパッキンカバーに上記キャップの外周面の一部が当接するように、上記水槽の上記水槽開口部の内側に取り付けられていることを特徴としている。
【０００８】
【０００９】
一実施形態の洗濯機では、
上記キャップの一部が上記旋回子の下流側の端面における周縁部に対向する。
一実施形態の洗濯機では、
上記ノズル本体の下流側の端部が上記ノズル本体の他の部分に対して傾斜するように、上記ノズル本体が形成されており、
上記旋回子は上記ノズル本体の下流側の端部内に回転可能に収容されている。
一実施形態の洗濯機では、
上記水槽には、上記キャップの先端面に当接する当接部が設けられている。
【００１０】
一実施形態の洗濯機では、
上記ノズル本体は、
第１ノズル管と、
上記第１ノズル管に組み付けられた第２ノズル管と
を有し、
上記第１ノズル管の一端部内に上記第２ノズル管の一端部を遊嵌させている。
【００１１】
一実施形態の洗濯機では、
上記ノズル本体の上流側の端部は、上記流路への水の流入口を画定するための切り欠きが設けられた筒部を有している。
【００１２】
一実施形態の洗濯機は、
上記外箱に取り付けられて上記外箱開口部を開閉するドアを備え、
上記ドアは、上記外箱開口部を閉鎖すると、一部が上記回転槽内に入って上記給水ノズルの水の噴射領域と重なる。
【発明の効果】
【００１３】
この発明の洗濯機によれば、給水ノズルは、水が流れる流路が設けられたノズル本体と、この流路に配置され、旋回流を発生させる旋回子とを有する。そして、上記流路は、旋回子よりも上流側に設けられた絞り部と、絞り部よりも下流側、かつ、旋回子よりも上流側に設けられて、絞り部の流路断面積よりも大きな流路断面積を有する広がり部とを持つ。これにより、上記旋回子に高水圧の水を多量に流すことができるので、給水ノズルの水の噴出力を高かめることができ、かつ、その水の噴射角を大きくすることができる。したがって、上記給水ノズルが噴射した水を洗濯物に強く当てることができ、かつ、その水を広げることができる。
【図面の簡単な説明】
【００１４】
【図１】図１はこの発明の第１実施形態のドラム式洗濯機の外観斜視図である。
【図２】図２は上記洗濯機の構成を説明するための模式断面図である。
【図３】図３は水槽およびその周辺部の斜視図である。
【図４】図４は上記水槽およびその周辺部の概略断面図である。
【図５】図５は給水ノズルの外観斜視図である。
【図６】図６は上記給水ノズルの分解斜視図である。
【図７】図７は上記給水ノズルの他の外観斜視図である。
【図８】図８は上記給水ノズルの側面図ある。
【図９】図９は上記給水ノズルの断面図である。
【図１０】図１０は上記給水ノズルの取り付けを説明するための斜視図である。
【図１１】図１１は水槽前部の要部の背面図である。
【図１２】図１２は図１１のXII−XII線矢視の断面図である。
【図１３】図１３は上記給水ノズルの水道水の噴射領域を説明するための模式図である。
【発明を実施するための形態】
【００１５】
以下、この発明の洗濯機を図示の実施の形態により詳細に説明する。
【００１６】
〔第１実施形態〕
図１は、この発明の第１実施形態の洗濯機の一例としてのドラム式洗濯機の外観を示す概略斜視図である。
【００１７】
上記ドラム式洗濯機は、外箱開口部１１を前面部に有する外箱１を備えている。この外箱１の前面部には、外箱開口部１１を開閉するドア２をヒンジで左右方向に回動可能に取り付けられている。また、外箱１の前面部の上部には操作表示部１２が設けられている。ユーザは、操作表示部１２を操作することにより、所望の洗濯コースを選択する。また、操作表示部１２は例えば洗濯コースの残り時間などを表示する。
【００１８】
図２は上記ドラム式洗濯機の構成を説明するための模式断面図である。
【００１９】
上記ドラム式洗濯機は、外箱１内に配置された有底筒形状の水槽３と、この水槽３内に回転可能に配置された有底円筒形状のドラム４と、水槽３の後部に取り付けられたモータ５とを備えている。なお、ドラム４は回転槽の一例である。
【００２０】
上記外箱１内には給水管１３が設けられている。この給水管１３の一端部は、給水口１４を有し、図示しないホースを介して水道蛇口(水栓)に接続される。一方、給水管１３の他端部は２股に分かれている。この２股の一方は、第１給水弁１５および第１給水ホース１７を介して給水ノズル６に接続されている。また、上記２股の他方は、第２給水弁１６および第２給水ホース１８を介して、図示しない洗剤ケースに接続されている。この洗剤ケースに流入した水道水は、洗剤ケース内の洗剤または柔軟剤を含んだ後、図示しないホースを介して、水槽３とドラム４の間に供給されるようになっている。なお、第１,第２給水ホース１７,１８としては、例えば、比較的柔らかいゴムまたは塩化ビニールからなるホースが用いられる。また、図１では給水口１４の図示を省略している。
【００２１】
上記ドア２は、ガラス窓２１と、このガラス窓２１の周縁部に取り付けられた樹脂製の枠体２２とを有している。この枠体２２には、ユーザが掴む把手が設けられている。
【００２２】
上記水槽３は、後部が前部より下がるように傾いている。また、水槽３は、外箱開口部１１に対向する水槽開口部３１を有している。この水槽開口部３１には、給水ノズル６と、環状のゴム製のパッキン３２(図３に示す)とが取り付けられている。ドア２が外箱開口部１１を閉鎖したとき、ドア２のガラス窓２１の前部がパッキン３２の内周縁部に密着する。これにより、水槽３内の洗濯水が水槽３外に漏れ出ないようになっている。また、ドア２が外箱開口部１１を閉鎖すると、ドア２のガラス窓２１の後部がドラム４内に入って給水ノズル６の水道水の噴射領域と重なる。なお、上記洗濯水とは、洗剤もしくは柔軟剤等を含む水、または、洗剤もしくは柔軟剤などを含まない水である。
【００２３】
上記ドラム４は、水槽３と同様に、後部が前部より下がるように傾いている。また、ドラム４の前面部には、水槽開口部３１に対向するドラム開口部４１が設けられている。また、ドラム４の周壁には複数の貫通穴４２(図２では３個のみ図示する)が全体に渡って設けられている。また、ドラム４は洗濯物４３を収容する。なお、ドラム開口部４１は回転槽開口部の一例である。
【００２４】
上記貫通穴４２は、水槽３とドラム４との間の空間と、ドラム４内の空間との間で洗濯水や空気を流通させる。例えば、ドラム４内の洗濯物４３を脱水するためにドラム４を回転させると、ドラム４内の洗濯水が貫通穴４２を通ってドラム４外に出る。
【００２５】
上記モータ５は、例えばインバータモータからなり、回転軸５１を有する。この回転軸５１は、水平面に対して傾斜し、先端部が水槽４の後面部の中央に固定されている。
【００２６】
図３は水槽３およびその周辺部の斜視図である。また、図４は水槽３およびその周辺部の概略断面図である。
【００２７】
上記水槽３は、図３,図４に示すように、水槽開口部３１が設けられた筒形状の水槽前部３ａと、有底筒形状の水槽後部３ｂとから成っている。この水槽後部３ｂの前端部は水槽前部３ａの後端部に固定される。また、水槽後部３ｂはサスペンション７Ａ,７Ｂによって弾性支持されている。
【００２８】
図５は、給水ノズル６の外観を示す斜視図である。また、図６は、給水ノズル６の分解した状態を示す斜視図である。
【００２９】
上記給水ノズル６は、図５,図６に示すように、ノズル本体６１と、このノズル本体６１の下流側の端部に取り付けられたキャップ６２と、旋回流を発生させる旋回子６３とを備えている。
【００３０】
上記ノズル本体６１は、第１ノズル管７１と、この第１ノズル管７１に組み付けられた第２ノズル管８１とを有している。
【００３１】
上記第１ノズル管７１には、水槽開口部３１にネジで取り付けられる板状の第１,第２取付部７２,７３が設けられている。この第１,第２取付部７２,７３は、ネジが挿通される貫通穴７４,７５を有している。また、第１取付部７２の図中上側の表面には板状の段付きリブ７６が立設されている。
【００３２】
上記第２ノズル管８１には、水槽開口部３１に取り付けられる板状の取付部８２が設けられている。この取付部８２は、ネジが挿通される貫通穴８３を有する。第１ノズル管７１に第２ノズル管８１を組み付けたとき、取付部８２の貫通穴８３が第１取付部７２の貫通穴７４と重なる。これにより、第１取付部７２の貫通穴７４にネジを挿通すると、このネジが取付部８２の貫通穴８３にも挿通される。
【００３３】
また、上記取付部８２の図中上側の表面にはフック部８４が立設されている。第１ノズル管７１に第２ノズル管８１を組み付けたとき、フック部８４が段付きリブ７６の比較的低い部分に解除可能に係止する。
【００３４】
また、上記第２ノズル管８１の外周面の上流側の端部には、径方向外側に突出する三角柱形状の突起部８５が立設されている。第１ノズル管７１に第２ノズル管８１を組み付けたとき、突起部８５が第１ノズル管７１の下流側の端面に当接する。
【００３５】
また、上記第２ノズル管８１の外周面の下流側の端部には、環状の第１リブ８６と、この第１リブ８６よりも下流側に位置する環状の第２リブ８７とが設けられている。この第１リブ８６は、キャップ６２の上流側の端面に当接して、キャップ６２を位置決めする。一方、第２リブ８７は、キャップ６２の内周面に食い込んで、第２ノズル管８１からキャップ６２を外れ難くする。
【００３６】
上記キャップ６２は弾性材(例えばゴム)から成っている。また、キャップ６２の先端面には噴射口９１が設けられ、ノズル本体６１側からの水道水が噴射口を通過する。
【００３７】
上記旋回子６３は、第２ノズル管８１の下流側の端部内に回転可能に収容されている。また、旋回子６３は、水道水の流れを変更する略半円板形状の２つの部分１０１,１０２を有して、断面形状が略Ｘ字形状を呈する。
【００３８】
図７は、図５とは反対側から見た外観を示す斜視図である。また、図８は、給水ノズル６を側方から見た図である。
【００３９】
また、上記ノズル本体６１の上流側の端部(第１ノズル管７１の上流側の端部）は、図７,図８に示すように、内筒部１１１と、この内筒部１１１を取り囲む外筒部１１２とを有している。この内筒部１１１の軸方向の長さは外筒部１１２の軸方向の長さよりも長くなっている。また、内筒部１１１には、水道水の流入口を画定するための切り欠き１１３が設けられている。一方、外筒部１１２には、水槽開口部３１に対する切り欠き１１３の位置を決めるための切り欠き１１４が設けられている。また、外筒部１１２は内筒部１１１との間に所定の環状の隙間を有し、環状のパッキン１１５(図９に示す)が上記隙間に配置される。なお、内筒部１１１は筒部の一例である。
【００４０】
また、上記内筒部１１１は外筒部１１２に比べて軸方向の長さが長いので、パッキン１１５の中心が内筒部１１１の中心軸から大きく外れないようになっている。すなわち、パッキン１１５のシール性能を良好に維持できるようになっている。
【００４１】
また、上記第２ノズル管８１の外周面の上流側の端部には、径方向において突起部８５と対向するように三角柱形状の突起部８８が立設されている。この突起部８５は、突起部８５とは逆方向に突出する。また、突起部８５は、第１ノズル管７１の下流側の端面に当接しないが、水槽開口部３１に設けられた板状のリブ１２１(図１２に示す)に当接する。
【００４２】
図９は、給水ノズル６を側方から見た断面を示す図である。
【００４３】
上記ノズル本体６１には、水道水が流れる流路Ｌ１が設けられている。その流路Ｌ１の下流側の端部には旋回子６３が配置されている。この流路Ｌ１は絞り部Ｌ２および第１,第２広がり部Ｌ３,Ｌ４を持つ。この絞り部Ｌ２は旋回子６３よりも上流側に設けられている。一方、第１,第２広がり部Ｌ３,Ｌ４は、絞り部Ｌ２よりも下流側、かつ、旋回子６３よりも上流側に設けられている。また、第１,第２広がり部Ｌ３,Ｌ４は、それぞれ、絞り部Ｌ２の流路断面積よりも大きな流路断面積を有している。例えば、絞り部Ｌ２の流路断面積を１６.６ｍｍ２に設定する場合、第１広がり部Ｌ３の流路断面積を７８.５ｍｍ２に設定すると共に、第２広がり部Ｌ４の流路断面積を３８.５ｍｍ２に設定する。なお、上記水道水は水の一例である。
【００４４】
また、上記流路Ｌ１の一部は第１ノズル管７１に設けられている。そして、流路Ｌ１の残りが第２ノズル管８１に設けられている。すなわち、流路Ｌ１は、第１ノズル管７１内の流路と、第２ノズル管８１内の流路とから成っている。
【００４５】
また、上記第２ノズル管８１の上流側の端部が第１ノズル管７１の下流側の端部内に遊嵌している。別の言い方をすると、第２ノズル管８１の上流側の端部が第１ノズル管７１の下流側の端部内に入っており、第１ノズル管７１の下流側の端部の内周面と、第２ノズル管８１の上流側の端部の外周面との間に隙間が生じている。このとき、第１ノズル管７１の下流側の端部の内周面の径と、第２ノズル管８１の上流側の端部の外周面の径との差が、例えば０.５ｍｍ以下に設定される。
【００４６】
また、上記給水ノズル６の流路Ｌ１では、切り欠き１１３で画定された流入口から絞り部Ｌ２まで、流路断面積が段階的に減少する。例えば、絞り部Ｌ２の流路断面積を１６.６ｍｍ２に設定する場合、上記流入口の流路断面積７８.５ｍｍ２に設定する共に、上記流入口と絞り部Ｌ２の間の領域の流路断面積３３.２ｍｍ２に設定する。この場合、上記流入口と絞り部Ｌ２の間の領域の流路断面積は、上記流入口の流路断面積から、流入口の流路断面積の１／３以上減った値になっている。また、絞り部Ｌ２の流路断面積も、流入口と絞り部Ｌ２の間の領域の流路断面積から、上記流入口と絞り部Ｌ２の間の領域の流路断面積の１／３以上減った値になっている。すなわち、流路断面積の変化量は１／３以上になっている。
【００４７】
また、上記給水ノズル６の流路Ｌ１では、第１広がり部Ｌ３から噴射口９１まで、流路断面積が段階的に減少する。例えば、第１,第２広がり部Ｌ３,Ｌ４の流路断面積を７８.５ｍｍ２, ３８.５ｍｍ２に設定する場合、旋回子６３が配置された流路の流路断面積を１１.１ｍｍ２に設定すると共に、噴射口９１の流路断面積を７.１ｍｍ２に設定する。この場合、旋回子６３が配置された領域の流路断面積は、第２広がり部Ｌ４の流路断面積から、第２広がり部Ｌ４の流路断面積の１／４以上減った値になっている。また、噴射口９１の流路断面積も、旋回子６３が配置された領域の流路断面積から、旋回子６３が配置された領域の流路断面積の１／３以上減った値になっている。すなわち、流路断面積の変化量は１／３以上になっている。なお、旋回子６３が配置された領域の流路断面積とは、旋回子６３の回転軸に垂直な面が旋回子６３の回転軸方向の中央を通るとき、その面において水道水が通過する部分の面積に相当する。
【００４８】
また、上記給水ノズル６内では、水道水は複数回流れの向きを変える。より詳しくは、上記水道水は、切り欠き１１３で画定された流入口から流路Ｌ１内に流入すると、２回流れる向きを変えて、絞り部Ｌ２に到達する。そして、上記水道水は、絞り部Ｌ２から第２広がり部Ｌ４まで略直線状に流れた後、流れの向きを変えて、噴射口９１へ流れる。この水道水が略直線状に流れる区間の距離は、例えば、絞り部Ｌ２の径に対する比で決定される。
【００４９】
図１０は給水ノズル６の取り付けを説明するための斜視図である。
【００５０】
上記水槽開口部３１には、パッキン３２の後方に位置するように環状の樹脂製のパッキンカバー３３が取り付けられている。このパッキンカバー３３に給水ノズル６の一部が重なるように、水槽開口部３１に給水ノズル６が取り付けられる。
【００５１】
また、上記水槽開口部３１には筒形状の接続部１３１が設けられている。水槽開口部３１に給水ノズル６が取り付けるとき、給水ノズル６の内筒部１１１を接続部１３１内に挿入すると共に、給水ノズル６の外筒部１１２を接続部１３１に外嵌させる。このとき、内筒部１１１は外筒部１１２に比べて軸方向の長さが長いので、給水ノズル６の外筒部１１２を接続部１３１に案内するガイドとして内筒部１１１が機能する。
【００５２】
図１１は水槽前部３ａの要部を後方から見た図である。また、図１２は図１１のXII−XII線から見た断面図である。
【００５３】
上記水槽開口部３１に給水ノズル６を取り付けると、図１１,図１２に示すように、パッキンカバー３３がキャップ６２の先端面に当接する。このとき、パッキンカバー３３は、キャップ６２の外周面の一部に接触する。なお、パッキンカバー３３は当接部の一例である。
【００５４】
また、上記水槽前部３ａには、第１給水ホース１７内に連通する給水路Ｌ１１が設けられている。給水ノズル６の内筒部１１１を接続部１３１内に挿入すると、流路Ｌ１が接続部１３１内を介して給水路Ｌ１１に連通する。この給水路Ｌ１１は、内筒部１１１の軸方向に交差する方向に延びている。
【００５５】
図１３は上記給水ノズル６の水道水の噴射領域を説明するための模式図である。
【００５６】
上記給水ノズル６が水道水を噴射するとき、ドラム４の後端部とドラム４の回転軸Ｊとが交わる点よりも上側の部分に水道水が当たる。より詳しくは、ドラム４の後端部において水道水が当たる部分で最も長い部分の長さＸは、ドラム４の内半径ｒよりも長くなっている。
【００５７】
また、上記ドラム４の前端部からガラス窓２１の最後端までの長さＹ１は、ドラム４の内周面において水道水が当たる部分で最も長い部分とドラム４の前端部との間の長さＹ２よりも長くなっている。  
【００５８】
なお、図１３のαは、給水ノズル６の水道水の噴射領域の中心軸が、ドラム４の前端部と成す角度である。また、β１,β２は、それぞれ、給水ノズル６の水道水の噴射角の１／２に相当する角度である。
【００５９】
上記構成のドラム式洗濯機によれば、給水ノズル６がドラム４内に向かって水道水を噴射するとき、水道水がノズル本体６１の流路Ｌ１を流れる。このとき、ノズル本体６１では、水道水が絞り部Ｌ２を通過するので、絞り部Ｌ２よりも下流側に高水圧の水を流すことができる。また、絞り部Ｌ２よりも下流側、かつ、旋回子６３よりも上流側には、絞り部Ｌ２の流路断面積よりも大きな流路断面積を有する第１,第２広がり部Ｌ３,Ｌ４が設けられている。これにより、旋回子６３に高水圧の水を多量に流すことができるので、給水ノズル６の水道水の噴出力を高かめることができ、かつ、その水道水の噴射角を大きくすることができる。したがって、給水ノズル６が噴射した水道水を洗濯物４３に強く当てることができ、かつ、その水道水を広げることができる。
【００６０】
また、上記水道水は絞り部Ｌ２から第２広がり部Ｌ４まで略直線状に流れるので、水道水の流れの乱れを整えることができる。したがって、上記水道水の流れの乱れによる圧力損失を低減できる。
【００６１】
また、上記洗濯物４３をすすぐ場合、ドラム４が回転している状態で、給水ノズル６に水道水を噴射させたとき、ドラム４の回転による遠心力と、水道水の水圧との作用で、洗濯物４３に残った洗濯水や汚れを効果的に除去できる。
【００６２】
また、上記給水ノズル６が噴射した水道水を洗濯物４３に強く当てることができ、かつ、その水道水を広げることができるので、洗濯物４３に残った洗濯水や汚れを除去する効果を高めることができる。
【００６３】
また、上記噴射口９１が例えば糸屑で閉塞されて、給水ノズル６内の水圧が異常値になった場合、キャップ６２は、弾性材から成るので、弾性変形する。その結果、ノズル本体６１の下流側の端部とキャップ６２との間に隙間が生じる。したがって、上記隙間から水道水を適度に排出して、給水ノズル６内の水圧が異常値になっている状態を解消できる。
【００６４】
また、上記水槽開口部３１に給水ノズル６を取り付けているので、ノズル本体６１の下流側の端部とキャップ６２との間の隙間から水道水が漏れ出たとしても、この水道水を水槽３内に溜めることができる。したがって、上記水道水が水槽３外に漏れ出るのを防ぐことができる。
【００６５】
また、上記給水ノズル６内の水圧が異常値になっている状態を解消できるので、異常に高くなった水圧の影響で第１給水ホース１７が破損するのを防ぐことができる。
【００６６】
また、上記噴射口９１が例えば糸屑で閉塞されて、給水ノズル６内の水圧が上がった場合、パッキンカバー３３がキャップ６２の先端面に当接するので、キャップ６２の脱落を防ぐことができる。
【００６７】
上記キャップ６２がノズル本体６１の下流側の端部から脱落した場合、キャップ６２が洗濯物４３と一緒に回転して、洗濯物４３を傷付ける恐れがある。したがって、上記キャップ６２の脱落を防ぐことにより、洗濯物４３に傷が付く恐れを低減できる。
【００６８】
また、上記第１ノズル管７１の下流側の端部内に第２ノズル管８１の上流側の端部を遊嵌させているので、第１ノズル管７１の下流側の端部の内周面と第２ノズル管８１の上流側の端部の外周面との間に隙間が生じる。したがって、上記隙間から水を適度に排出できるので、給水ノズル６内の水圧が過度に高くなるのを防ぐことができる。
【００６９】
また、上記水槽開口部３１に給水ノズル６を取り付けているので、第１ノズル管７１の下流側の端部の内周面と第２ノズル管８１の上流側の端部の外周面との間の隙間から水道水が漏れ出たとしても、この水道水を水槽３内に溜めることができる。したがって、上記水道水が水槽３外に漏れ出るのを防ぐことができる。
【００７０】
また、上記ノズル本体６１の上流側の端部は、流路Ｌ１への水道水の流入口を画定するための切り欠き１１３が設けられた内筒部１１１を有している。これにより、上記内筒部１１１の軸方向に交差する方向に延びる給水路Ｌ１１から、切り欠き１１３を介してノズル本体６１の流路Ｌ１に、適切な量の水道水を流すことができる。
【００７１】
また、上記ドア２が外箱開口部１１を閉鎖すると、ドア２のガラス窓２１の後部がドラム４内に入って給水ノズル６の水道水の噴射領域と重なるので、ガラス窓２１の後部に付着した例えば糸屑を水道水で洗い流せる。
【００７２】
また、上記給水ノズル６が水道水を噴射することにより、ガラス窓２１を洗浄できるので、給水ノズル６の他に、ガラス窓２１を洗浄するための水を吹き出すノズルを設けなくてよい。したがって、部品点数を削減できるので、コストダウン効果が得られる。
【００７３】
また、上記ドラム４の後端部において水道水が当たる部分で最も長い部分の長さＸは、ドラム４の内半径ｒよりも長くなっているので、洗濯物４３の広範囲に水道水をかけることができる。
【００７４】
上記第１実施形態のドラム式洗濯機は、乾燥機能を有してもよいし、乾燥機能を有さなくてもよい。
【００７５】
上記第１実施形態のドラム式洗濯機が乾燥機能を有する場合、乾燥方式は、例えばシーズヒータで温風を生成するヒータ乾燥方式であってもよいし、ヒートポンプで温風を生成するヒートポンプ乾燥方式であってもよい。
【００７６】
上記第１実施形態では、ドラム式洗濯機に給水ノズル６を用いていたが、全自動洗濯機などのいわゆる縦型洗濯機に用いてもよい。
【００７７】
上記第１実施形態では、給水ノズル６に水道水を供給していたが、給水口１４にホースを介して風呂水ポンプを接続することにより、給水ノズル６に風呂水を供給してもよい。
【００７８】
上記第１実施形態では、給水ノズル６は、洗剤および柔軟剤を含まない水を噴射していたが、水道水または風呂水が洗剤ケースを経由して給水ノズル６に供給されるようにして、洗剤または柔軟剤を含む水を噴射するようにしてもよい。
【００７９】
上記第１実施形態において、水槽開口部３１以外の場所(例えば外箱開口部１１)に給水ノズル６を取り付けてもよい。
【００８０】
〔第２実施形態〕
この発明の第２実施形態の洗濯機の一例としてのドラム式洗濯機では、第２ノズル管８１の上流側の端部が、第１ノズル管７１の下流側の端部内に密に嵌合するようにしている。
【００８１】
〔第３実施形態〕
この発明の第３実施形態の洗濯機の一例としてのドラム式洗濯機では、第１,第２ノズル管７１,８１に換えて、１本のノズル管を用いている。
【００８２】
〔第４実施形態〕
この発明の第４実施形態の洗濯機の一例としてのドラム式洗濯機では、第１,第２広がり部Ｌ３,Ｌ４に換えて、絞り部Ｌ２と旋回子６３の間に、絞り部Ｌ２の流路断面積より小さい流路断面積を有する１つの広がり部を設けている。
【００８３】
すなわち、この発明および実施形態を纏めると、次のようになる。
【００８４】
この発明の洗濯機は、
外箱開口部１１を有する外箱１と、
上記外箱１内に配置されて、上記外箱開口部１１に対向する水槽開口部３１を有する水槽３と、
上記水槽３内に回転可能に配置されて、上記水槽開口部３１に対向する回転槽開口部４１を有する回転槽４と、
上記回転槽４内に水を供給する給水ノズル６と
を備え、
上記給水ノズル６は、
水が流れる流路Ｌ１が設けられたノズル本体６１と、
上記流路Ｌ１に配置され、旋回流を発生させる旋回子６３と
を有し、
上記流路Ｌ１は、
上記旋回子６３よりも上流側に設けられた絞り部Ｌ２と、
上記絞り部Ｌ２よりも下流側、かつ、上記旋回子６３よりも上流側に設けられて、上記絞り部Ｌ２の流路断面積よりも大きな流路断面積を有する広がり部Ｌ３,Ｌ４と
を持つことを特徴としている。
【００８５】
上記構成によれば、上記給水ノズル６が回転槽４内に水を供給するとき、水がノズル本体６１の流路Ｌ１を流れる。このとき、上記ノズル本体６１では、水が絞り部Ｌ２を通過するので、絞り部Ｌ２よりも下流側に高水圧の水を流すことができる。また、上記絞り部Ｌ２よりも下流側、かつ、旋回子６３よりも上流側には、絞り部Ｌ２の流路断面積よりも大きな流路断面積を有する広がり部Ｌ３,Ｌ４が設けられている。これにより、上記旋回子６３に高水圧の水を多量に流すことができるので、給水ノズル６の水の噴出力を高かめることができ、かつ、その水の噴射角を大きくすることができる。したがって、上記給水ノズル６が噴射した水を洗濯物４３に強く当てることができ、かつ、その水を広げることができる。
【００８６】
一実施形態の洗濯機では、
上記給水ノズル６は、上記ノズル本体６１の下流側の端部に取り付けられると共に、上記ノズル本体６１側からの水が通過する噴射口９１が設けられたキャップ６２を有し、
上記キャップ６２は弾性材から成る。
【００８７】
上記実施形態によれば、上記噴射口９１が例えば糸屑で閉塞されて、給水ノズル６内の水圧が異常値になった場合、キャップ６２は、弾性材から成るので、弾性変形する。その結果、上記ノズル本体６１の下流側の端部とキャップ６２との間に隙間が生じる。したがって、上記隙間から水を適度に排出して、給水ノズル６内の水圧が異常値になっている状態を解消できる。
【００８８】
一実施形態の洗濯機では、
上記水槽３には、上記キャップ６２の先端面に当接する当接部３３が設けられている。
【００８９】
上記実施形態によれば、上記噴射口９１が例えば糸屑で閉塞されて、給水ノズル６内の水圧が上がった場合、当接部３３がキャップ６２の先端面に当接するので、キャップ６２の脱落を防ぐことができる。
【００９０】
一実施形態の洗濯機では、
上記ノズル本体６１は、
第１ノズル管７１と、
上記第１ノズル管７１に組み付けられた第２ノズル管８１と
を有し、
上記第１ノズル管７１の一端部内に上記第２ノズル管８１の一端部を遊嵌させている。
【００９１】
上記実施形態によれば、上記第１ノズル管７１の一端部内に第２ノズル管８１の一端部を遊嵌させているので、第１ノズル管７１の一端部の内周面と第２ノズル管８１の一端部の外周面との間に隙間が生じる。その結果、上記隙間から水を適度に排出できるので、給水ノズル６内の水圧が過度に高くなるのを防ぐことができる。
【００９２】
一実施形態の洗濯機では、
上記ノズル本体６１の上流側の端部は、上記流路Ｌ１への水の流入口を画定するための切り欠き１１３が設けられた筒部１１１を有している。
【００９３】
上記実施形態によれば、上記ノズル本体６１の上流側の端部は、上記流路Ｌ１への水の流入口を画定するための切り欠き１１３が設けられた筒部１１１を有している。これにより、上記筒部１１１の軸方向に交差する方向に流れる流路Ｌ１から、切り欠き１１３を介してノズル本体６１の流路Ｌ１に、適切な量の水を流すことができる。すなわち、上記ノズル本体６１の流路Ｌ１に大量の水を供給することができる。
【００９４】
一実施形態の洗濯機は、
上記外箱１に取り付けられて上記外箱開口部１１を開閉するドア２を備え、
上記ドア２は、上記外箱開口部１１を閉鎖すると、一部が上記回転槽４内に入って上記給水ノズル６の水の噴射領域と重なる。
【００９５】
上記実施形態によれば、上記ドア２が外箱開口部１１を閉鎖すると、ドア２の一部が回転槽４内に入る。このとき、上記ドア２の一部が給水ノズル６の水の噴射領域と重なるので、ドア２の一部に付着した例えば糸屑を水で洗い流せる。
【００９６】
この発明の具体的な実施形態について説明したが、この発明は上記実施形態に限定されるものではなく、この発明の範囲内で種々変更して実施することができる。例えば、上記第１〜第４実施形態で記載した内容を適宜組み合わせたものを、この発明の一実施形態としてもよい。
【符号の説明】
【００９７】
１  外箱
２  ドア
３  水槽
４  回転槽
５  モータ
６  給水ノズル
１１  外箱開口部
３１  水槽開口部
３３  当接部
４１  回転槽開口部
６１  ノズル本体
６２  キャップ
６３  旋回子
７１  第１ノズル管
８１  第２ノズル管
９１  噴射口
１１１  内筒部
１１２  外筒部
１１３,１１４  切り欠き
Ｌ１  流路
Ｌ２  絞り部
Ｌ３,Ｌ４  広がり部
【図１】
0006378953.tif 000002
【図２】
0006378953.tif 000003
【図３】
0006378953.tif 000004
【図４】
0006378953.tif 000005
【図５】
0006378953.tif 000006
【図６】
0006378953.tif 000007
【図７】
0006378953.tif 000008
【図８】
0006378953.tif 000009
【図９】
0006378953.tif 000010
【図１０】
0006378953.tif 000011
【図１１】
0006378953.tif 000012
【図１２】
0006378953.tif 000013
【図１３】
0006378953.tif 000014